(57)【要約】【課題】浮き輪型構造を有するバランスボールを提供する。【解決手段】本考案は浮き輪型構造のバランスボールを提供する。この浮き輪型構造のバランスボールは、浮き輪型ボールと、浮き輪型ボールの内側に設けられるリング型エア充填部と、浮き輪型ボールの外部に設けられるリング型表面及び中央穴とを含む。リング型エア充填部の断面直径は中央穴の断面直径より大きい。【選択図】図２
0003122957.tif 000002
【実用新案登録請求の範囲】
【請求項１】
浮き輪型ボールと、
前記浮き輪型ボールの内側に設けられるリング型エア充填部と、
前記浮き輪型ボールの外部に設けられるリング型表面と、
前記リング型表面に設けられる中央穴と、
を含み、
前記リング型エア充填部の断面直径は、前記中央穴の断面直径より大きい、
バランスボール。
【請求項２】
前記リング型表面の側面には、貫通穴を有する突起部が設けられる、
請求項１に記載のバランスボール。
【請求項３】
前記貫通穴には伸縮チューブが設けられ、当該伸縮チューブの先端には取手が設置される、
請求項２に記載のバランスボール。
【請求項４】
浮き輪型ボールと、
前記浮き輪型ボールの内側に設けられるリング型エア充填部と、
前記浮き輪型ボールの外部に設けられるリング型表面と、
前記リング型表面に設けられる中央溝部と、
を含み、
前記中央溝部は底縁を有し、当該底縁の周辺は前記リング型表面と接続され、
前記リング型エア充填部の断面直径は、前記中央穴の断面直径より大きい、
バランスボール。
【請求項５】
前記リング型表面の側面には、貫通穴を有する突起部が設けられる、
請求項４に記載のバランスボール。
【請求項６】
前記貫通穴には伸縮チューブが設けられ、当該伸縮チューブの先端には取手が設置される、
請求項５に記載のバランスボール。
【請求項７】
前記中央溝部には、取手が設置される、
請求項４に記載のバランスボール。
【考案の詳細な説明】
【技術分野】
【０００１】
本考案は、バランスボールに関し、特に、浮き輪型構造を有するバランスボールに関する。
【背景技術】
【０００２】
従来のバランスボールは、周知のように丸いボール状であり、その表面には突起が一定間隔に設けられ、体を刺激してマッサージ効果を得ることができる。しかし、このようなバランスボールは、丸いボール状構造となっているため、よく転がりすぎて、体を乗せた時にバランスを取ることが難しく、少しでもバランスを崩すと、転落してしまう恐れがある。これは初心者やバランス感覚の優れない使用者にとって、体を鍛えるどころかかえって危険である。つまり、ボール型構造のバランスボールは一部の使用者にとって、フィットネス機能を確実に達成することができないのである。このような事情により、一部の業者はボール型とは異なった半ボール型や半円柱型のバランスボールを開発したが、このような新型バランスボールはボール構造を排除したため、転がりの特性を完全に喪失している。これにより、操作時の安定性が向上したものの、機能は揺れ動作のみとなってしまったため、実用性が大きく低下するのである。
【０００３】
よって、上述の２種類の従来のバランスボール構造の問題点を改善し、より安定性とバラティーを有した新型バランスボール構造を開発することは消費者が待望することであり、当業者の目指すところでもある。
【考案の開示】
【考案が解決しようとする課題】
【０００４】
本考案の目的は、浮き輪型構造を有するバランスボールを提供することにある。
【課題を解決するための手段】
【０００５】
前述の目的を達成するために、本考案の浮き輪型バランスボールは、浮き輪型ボールと、浮き輪型ボールの内側に設けられるリング型エア充填部と、浮き輪型ボールの外部に設けられるリング型表面及び中央穴とを含む。リング型エア充填部の断面直径は、中央穴の断面直径より大きい。
【０００６】
また、浮き輪型ボールのリング型表面の両サイドに貫通穴をもつ突起部を設け、伸縮チューブを貫通穴に通し、伸縮チューブの片側に取手を装着することで、浮き輪型バランスボールを使って腕や胸筋を鍛えることができる。
【考案の効果】
【０００７】
本考案は、安定性と安全性を同時に兼ね備えているバランスボールを提供する。
【考案を実施するための最良の形態】
【０００８】
次に、添付した図面を参照しながら、本考案の好適な実施形態を詳細に説明する。
【０００９】
図１と図２は、本考案の好適な実施形態に係る浮き輪型構造のバランスボールを示す図である。本考案における浮き輪型バランスボール１０は、浮き輪型ボール１１を含み、それはポリ塩化ビニールの材質によって作られ、浮き輪型ボール１１の内側にはリング型エア充填部１２が設けられ、リング型エア充填部１２には空気を注入／排出するための空気栓（図示せず）が設置される。浮き輪型ボール１１の外部にはリング型表面１３及び中央穴１４が設けられる。リング型エア充填部１２の断面直径Ｌ１は中央穴１４の断面直径Ｌ２より大きい。これにより、本考案における浮き輪型バランスボール１０は従来の円球状バランスボールより大きく、しっかりとした底面面積を有した構造となるため、安定性が向上し、より安全に操作することができる。
【００１０】
図３は、本考案の他の好適な実施形態に係る浮き輪型構造のバランスボールを示す図である。図３に示すように、浮き輪型ボール１１のリング型表面１３の側面には貫通穴１６をもった突起部１５が設けられ、その突起部１５の貫通穴１６には伸縮チューブ２０が通され、伸縮チューブ２０の先端には取手２１が装着されている。この実施形態は、浮き輪型バランスボール１０に付加機能を与えるもので、人が浮き輪型ボール１１のリング型表面１３に座って、両サイドの取手２１を掴んで引っ張ると、伸縮チューブ２０の伸縮性による抵抗が生まれ、腕や胸筋を鍛えることができる。
【００１１】
図４は、本考案の他の好適な実施形態に係る浮き輪型構造のバランスボールを示す図である。前述の実施形態との違いは、浮き輪型ボール１１のリング型表面１３の中央に未貫通の中央溝部１７が設けられ、この中央溝部１７は、一つの底縁１８を有し、底縁１８の周辺はリング型表面１３と連結することある。この実施形態は、底縁１８部分を増設することで、中央溝部１７の上下に取手３０を装着できるようにする。取手３０の固定方式は、図４に示すように、底縁１８に貫通穴１９を開け、上、下二組の取手３０の間に一組の組合せ棒３１を取り付け、組合せ棒３１の中段と前述の貫通穴１９に通し、固定するための縮径部３２を設けることである。
【００１２】
上述の構造と設計に基づいた本考案における浮き輪型バランスボール１０の使用状況を下記に説明する。
【００１３】
図５から図１７は、本考案における浮き輪型バランスボールの使用状態を示す図である。図５と図６に示すように、使用者は両足を地面に付けた状態で浮き輪型バランスボール１０の上に座り、手の伸展と回転動作を行うことができる。図７は使用者が脚を組んで座っている状態を表しており、本考案における浮き輪型バランスボール１０は安定性に優れているため、使用者の体をしっかりと支えることが出来る。
【００１４】
図８は両足を地面に付けた状態で、浮き輪型バランスボール１０にもたれ、手の進展と回転運動を行う様子を表している。また、図９と図１０図に示すように、同じ姿勢で腕や胸筋を鍛え、ダンベル持ち上げを行うこともできる。
【００１５】
図１１と図１２に示すように、使用者は浮き輪型バランスボール１０上に伏せ、上半身のストレッチ或は水泳の水かき動作を真似た運動を行うことができる。
【００１６】
図１３に示すように、使用者は浮き輪型バランスボール１０上で体を横向けにし、股上げの運動を行うことができる。
【００１７】
図１４に示すように、使用者は仰向けになり、浮き輪型バランスボール１０に足を乗せた状態で腹筋運動を行うことができる。
【００１８】
図１５に示すように、使用者は両手で浮き輪型バランスボール１０を持ち上げたり、ボールを揺らしたり、投げたりする運動を行うことが出来る（図１６を参照）。
【００１９】
また、図１７に示すように、浮き輪型バランスボール１０の片側は丸いボール状になっており、転がりの特性を保有しているため、タイヤ転がしのような工夫を取り入れたエクササイズを行うこともできる。
【００２０】
本考案は、少なくとも以下の利点を有する。
【００２１】
１、本考案の浮き輪型バランスボールは、安定性と安全性を同時に兼ね備えているだけではなく、片側に丸いボール構造を残し、転がりの特性を保有することで、バラエティーに富んだ使用形態が可能であり、フィットネス効果及び娯楽効果を得ることができる。
【００２２】
２、本考案の浮き輪型バランスボールは、浮き輪型ボールのリング型表面の側面にある突起部の貫通穴に設けられる伸縮チューブの先端に取手を装着することで、張力トレーニングの機能を付与することが出来る。
【００２３】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２４】
【図１】本考案の好適な実施形態に係る浮き輪型バランスボールの立体図である。
【図２】本考案の好適な実施形態に係る浮き輪型バランスボールの断面図である。
【図３】本考案の他の好適な実施形態に係る浮き輪型バランスボールを示す図である。
【図４】本考案の他の好適な実施形態に係る浮き輪型バランスボールを示す図である。
【図５】本考案における浮き輪型バランスボールの使用状態を示す図である。
【図６】本考案における浮き輪型バランスボールの他の使用状態を示す図である。
【図７】本考案における浮き輪型バランスボールの他の使用状態を示す図である。
【図８】本考案における浮き輪型バランスボールの他の使用状態を示す図である。
【図９】本考案における浮き輪型バランスボールの他の使用状態を示す図である。
【図１０】本考案における浮き輪型バランスボールの他の使用状態を示す図である。
【図１１】本考案における浮き輪型バランスボールの他の使用状態を示す図である。
【図１２】本考案における浮き輪型バランスボールの他の使用状態を示す図である。
【図１３】本考案における浮き輪型バランスボールの他の使用状態を示す図である。
【図１４】本考案における浮き輪型バランスボールの他の使用状態を示す図である。
【図１５】本考案における浮き輪型バランスボールの他の使用状態を示す図である。
【図１６】本考案における浮き輪型バランスボールの他の使用状態を示す図である。
【図１７】本考案における浮き輪型バランスボールの他の使用状態を示す図である。
【符号の説明】
【００２５】
１０  浮き輪型バランスボール
１１  浮き輪型ボール
１２  リング型エア充填部
１３  リング型表面
１４  中央穴
１５  突起部
１６  貫通穴
１７  中央溝部
１８  底縁
１９  貫通穴
２０  伸縮チューブ
２１、３０  取手
３１  組合せ棒
３２  縮径部
Ｌ１、Ｌ２  断面直径
【図１】
0003122957.tif 000003
【図２】
0003122957.tif 000004
【図３】
0003122957.tif 000005
【図４】
0003122957.tif 000006
【図５】
0003122957.tif 000007
【図６】
0003122957.tif 000008
【図７】
0003122957.tif 000009
【図８】
0003122957.tif 000010
【図９】
0003122957.tif 000011
【図１０】
0003122957.tif 000012
【図１１】
0003122957.tif 000013
【図１２】
0003122957.tif 000014
【図１３】
0003122957.tif 000015
【図１４】
0003122957.tif 000016
【図１５】
0003122957.tif 000017
【図１６】
0003122957.tif 000018
【図１７】
0003122957.tif 000019